(57)【要約】【課題】封筒に封入封緘されるときには剥離紙からの剥離が抑制され、かつ、はがき等の被貼付体に再貼付された後には、剥離、特に手作業による剥離が容易である、シークレットラベルを提供すること。【解決手段】矩形のラベル基材１１と、ラベル基材１１上の粘着層と、粘着層上の粘着抑制層２０とを有するシークレットラベルであって、粘着抑制層２０が、ラベル基材１１の矩形の角を１つの頂点とする直角三角形状の第１の剥離始点用粘着抑制部２１と、第１の剥離始点用粘着抑制部２１の直角三角形の斜辺に略平行に、間隔ｉ１を開けて配置されている、１本以上のストライプ状の第２の剥離始点用粘着抑制部２２とを含む、シークレットラベル。【選択図】図１Ａ
2019191284.tif 000002
【特許請求の範囲】
【請求項１】
矩形のラベル基材と、前記ラベル基材上の粘着層と、前記粘着層上の粘着抑制層とを有するシークレットラベルであって、
前記粘着抑制層が、
前記ラベル基材の矩形の角を１つの頂点とする直角三角形状の第１の剥離始点用粘着抑制部と、
前記第１の剥離始点用粘着抑制部の直角三角形の斜辺に略平行に、間隔を開けて配置されている、１本以上のストライプ状の第２の剥離始点用粘着抑制部と
を含む、
シークレットラベル。
【請求項２】
前記第２の剥離始点用粘着抑制部のストライプが１本又は２本である、請求項１に記載のシークレットラベル。
【請求項３】
前記第２の剥離始点用粘着抑制部のストライプが１本である、請求項２に記載のシークレットラベル。
【請求項４】
前記第１の剥離始点用粘着抑制部の直角三角形の斜辺の長さが、１０．０ｍｍ以上２８．５ｍｍ以下である、請求項１〜３のいずれか一項に記載のシークレットラベル。
【請求項５】
前記第１の剥離始点用粘着抑制部の直角三角形が、略直角二等辺三角形である、請求項１〜４のいずれか一項に記載のシークレットラベル。
【請求項６】
前記第１の剥離始点用粘着抑制部及び前記第２の剥離始点用粘着抑制部の組を、１組以上４組以下有する、請求項１〜５のいずれか一項に記載のシークレットラベル。
【請求項７】
前記第１の剥離始点用粘着抑制部及び前記第２の剥離始点用粘着抑制部、並びにこれらの間の間隙部と重複しない位置に、パターン状の剥離継続用粘着抑制部を更に有する、請求項１〜６のいずれか一項に記載のシークレットラベル。
【請求項８】
剥離紙上に、請求項１〜７のいずれか一項に記載のシークレットラベルが貼付されている、
シークレットラベル積層体。
【発明の詳細な説明】
【技術分野】
【０００１】
本発明は、シークレットラベルに関する。
【背景技術】
【０００２】
口座番号等の秘密情報、病歴等の個人情報等を記載したはがき等は、これらの情報の記載箇所に、情報を隠蔽するためのシークレットラベルを貼付した状態で郵送されることが多い。
【０００３】
シークレットラベルを用いる１つの態様では、シークレットラベルは、剥離紙に貼付された状態で、例えば返信用はがきとともに封筒に封入封緘されて、送付元から各消費者等に郵送される。消費者は、はがきに必要事項を記入し、シークレットラベルを剥離紙から剥離し、はがきの記入欄上に再貼付したうえで、投函する。そして、はがきの受領者は、シークレットラベルを剥離して、消費者による記載情報を入手及び使用することが予定されている。
【０００４】
受領者によるシークレットラベルの剥離は、従来はもっぱら手作業によっていたが、剥離効率を重視して、自動剥離装置が普及している。例えば、特許文献１には、順次搬送されるはがきの先端部を咥えるはがき保持部材を具備するはがき咥え胴部と、紙葉類咥え胴部に保持されて回転するはがきを湾曲させるための手段と、はがき咥え胴部に保持されて回転するはがきに貼着されているシークレットラベルの先端部を咥えるラベル保持部材を具備するラベル咥え胴部とを有する、ラベル自動剥離装置が記載されている。特許文献２には、特許文献１に記載されたような自動剥離装置を用いて好適に剥離することのできる、シークレットラベルが記載されている。
【０００５】
一方で、処理枚数が比較的少なく、自動剥離装置による大量一括処理に馴染まない場合等には、手作業によるシークレットラベルの剥離も行われている。
【先行技術文献】
【特許文献】
【０００６】
【特許文献１】特開２００４−１４２９１８号公報
【特許文献２】特開２００５−１０７２７号公報
【発明の概要】
【発明が解決しようとする課題】
【０００７】
シークレットラベルを用いる上記の態様では、シークレットラベルは、送付元で封筒に封入封緘されるときには、剥離紙からの剥離が抑制され、それによって消費者による剥離紙からの剥離及びはがき等への再貼付が可能な状態が維持されることを要する。また、受領者においては、はがき等からの剥離が容易であることを要する。
【０００８】
本発明の目的は、封筒に封入封緘されるときには剥離紙からの剥離が抑制され、かつ、はがき等に再貼付された後には、剥離、特に手作業による剥離が容易である、シークレットラベルを提供することである。
【課題を解決するための手段】
【０００９】
上記の目的を達成する本発明は、以下のとおりである。
【００１０】
《態様１》矩形のラベル基材と、ラベル基材上の粘着層と、粘着層上の粘着抑制層とを有するシークレットラベルであって、
粘着抑制層が、
ラベル基材の矩形の角を１つの頂点とする直角三角形状の第１の剥離始点用粘着抑制部と、
第１の剥離始点用粘着抑制部の直角三角形の斜辺に略平行に、間隔を開けて配置されている、１本以上のストライプ状の第２の剥離始点用粘着抑制部と
を含む、
シークレットラベル。
《態様２》第２の剥離始点用粘着抑制部のストライプが１本又は２本である、《態様１》に記載のシークレットラベル。
《態様３》第２の剥離始点用粘着抑制部のストライプが１本である、《態様２》に記載のシークレットラベル。
《態様４》第１の剥離始点用粘着抑制部の直角三角形の斜辺の長さが、１０．０ｍｍ以上２８．５ｍｍ以下である、《態様１》〜《態様３》のいずれか一項に記載のシークレットラベル。
《態様５》第１の剥離始点用粘着抑制部の直角三角形が、略直角二等辺三角形である、《態様１》〜《態様４》のいずれか一項に記載のシークレットラベル。
《態様６》第１の剥離始点用粘着抑制部及び第２の剥離始点用粘着抑制部の組を、１組以上４組以下有する、《態様１》〜《態様５》のいずれか一項に記載のシークレットラベル。
《態様７》第１の剥離始点用粘着抑制部及び第２の剥離始点用粘着抑制部、並びにこれらの間の間隙部と重複しない位置に、パターン状の剥離継続用粘着抑制部を更に有する、《態様１》〜《態様６》のいずれか一項に記載のシークレットラベル。
《態様８》剥離紙上に、《態様１》〜《態様７》のいずれか一項に記載のシークレットラベルが貼付されている、
シークレットラベル積層体。
【発明の効果】
【００１１】
本発明によると、封筒に封入封緘されるときには剥離紙からの剥離が抑制され、かつ、はがき等に再貼付された後には、剥離、特に手作業による剥離が容易なシークレットラベルが提供される。
【図面の簡単な説明】
【００１２】
【図１Ａ】図１Ａは、本発明のシークレットラベルにおける第１の剥離始点用粘着抑制部及び第２の剥離始点用粘着抑制部の構成の一例を説明するための概略上面図である。
【図１Ｂ】図１Ｂは、本発明のシークレットラベルにおける第１の剥離始点用粘着抑制部及び第２の剥離始点用粘着抑制部の構成の別の一例を説明するための概略上面図である。
【図２】図２は、実施例１で作製したシークレットラベルの粘着抑制層のパターンを示す概略上面図である。図２（ａ）は全体図であり、図２（ｂ）は角部の拡大図である。
【図３】図３は、実施例２で作製したシークレットラベルの粘着抑制層のパターンを示す概略上面図である。図３（ａ）は全体図であり、図３（ｂ）は角部の拡大図である。
【図４】図４は、比較例１で作製したシークレットラベルの粘着抑制層のパターンを示す概略上面図である。図４（ａ）は全体図であり、図４（ｂ）は角部の拡大図である。
【図５】図５は、比較例２で作製したシークレットラベルの粘着抑制層のパターンを示す概略上面図である。図５（ａ）は全体図であり、図５（ｂ）は角部の拡大図である。
【発明を実施するための形態】
【００１３】
《シークレットラベル》
本発明のシークレットラベルは、矩形のラベル基材と、ラベル基材上の粘着層と、粘着層上の粘着抑制層とを有する。粘着抑制層は、ラベル基材の矩形の角を１つの頂点とする直角三角形状の第１の剥離始点用粘着抑制部と、第１の剥離始点用粘着抑制部の直角三角形の斜辺に略平行に、間隔を開けて配置されている、１本以上のストライプ状の第２の剥離始点用粘着抑制部とを含む。
【００１４】
〈ラベル基材〉
本発明のシークレットラベルにおけるラベル基材は、シークレットラベルに必要な強度を与え、好ましくは例えばはがき等に記入された情報を隠蔽する機能を有していてよい。
【００１５】
ラベル基材の形状は、矩形である。
【００１６】
本発明のシークレットラベルは、記入された情報を隠蔽するために、典型的にははがきに貼付して用いられる。この場合、ラベル基材のサイズは、はがきとして許容されているサイズと同じであるか、又はこれよりも小さいサイズであってよい。
【００１７】
わが国で第二種郵便物（はがき）として郵送できるサイズは、長辺が１４０ｍｍ以上１５４ｍｍ以下、短辺が９０ｍｍ以上１０７ｍｍ以下である。そのため、ラベル基材のサイズは、矩形の一辺が１５４ｍｍ以下又は１４０ｍｍ以下であり、かつ、他の一辺が１０７ｍｍ以下又は９０ｍｍ以下であってよい。官製はがきのサイズは、１４８ｍｍ×１００ｍｍであるから、官製はがきサイズのはがきへの貼付が意図される場合、ラベル基材のサイズは、矩形の一辺が、例えば１４８ｍｍ以下であり、かつ、他の一辺が１００ｍｍ以下であってよい。
【００１８】
一方で、本発明のシークレットラベルは、典型的には記入された情報を隠蔽するために用いられる。そのため、ラベル基材は、隠蔽が必要な有意の情報を被覆可能なサイズを有していてよい。更に、このラベル基材上に粘着層を介して存在する粘着抑制層は、指先で把持可能なサイズの、第１の剥離始点用粘着抑制部及び第２の剥離始点用粘着抑制部を有するから、ラベル基材のサイズは、矩形の各辺が、それぞれ、例えば、６０ｍｍ以上、７０ｍｍ以上、８０ｍｍ以上、又は９０ｍｍ以上であってよい。
【００１９】
本発明のシークレットラベルをはがき以外の記入媒体に貼付して用いる場合には、ラベル基材のサイズは、目的の記入媒体のサイズに応じて適宜に設定されてよい。
【００２０】
矩形のラベル基材の角（矩形の頂点）は、典型的には直角であるが、微小の丸み（Ｒ）を有していてもよい。角部が丸みを有するラベル基材のサイズは、各辺の直線を外挿して直角を想定したときのサイズである。
【００２１】
ラベル基材を構成する材料は、例えば、紙等であってよい。具体的には上質紙等であってよい。
【００２２】
ラベル基材の厚みは、シークレットラベルとして必要な強度を確保でき、及び好ましくは情報の隠蔽機能を有する程度には厚く、かつ、はがき等への貼付後にも過度に厚くならない範囲で適宜に設定されてよい。
【００２３】
〈粘着層〉
本発明のシークレットラベルにおける粘着層は、上記のラベル基材上に存在し、ラベル基材と、剥離紙又は被貼付体（例えばはがき等）とを剥離可能に粘着させる機能を有する。
【００２４】
粘着層は、ラベル基材の片面上の全面に存在してよい。粘着層は、パターン状であってもよいし、ラベル基材の片面上全面に一様に存在していてもよい。しかし、本発明のシークレットラベルでは、所望のパターンを有する粘着抑制層によって粘着層の粘着力が適切に調整されている。そのため、粘着層をパターン状にしなくても、ラベル基材と、剥離紙又は被貼付体との剥離可能な粘着を実現することができる。
【００２５】
粘着層を構成する材料としては、所定の粘着力が得られる限り特に制限されず、公知の粘着剤を適宜選択して使用してよい。粘着層を構成する材料は、例えば合成樹脂であってよく、具体的には例えば、天然ゴム、アクリル系樹脂、エチレン−酢酸ビニル共重合体、アクリロニトリル−ブタジエン共重合体、スチレン−ブタジエン共重合体、ポリイソブチレン、ポリビニルエーテル等であってよい。
【００２６】
〈粘着抑制層〉
本発明のシークレットラベルにおける粘着抑制層は、上記の粘着層上に存在し、その存在部分における粘着層の粘着力を抑制する機能を有する。粘着抑制層は、当業界で「糊殺し」とも呼ばれている。
【００２７】
本発明のシークレットラベルは、粘着層上に所定形状を有し、好ましくは所定サイズの粘着抑制層を有することにより、封筒に封入封緘されるときには剥離紙からの剥離が抑制され、かつ、はがき等の被貼付体に再貼付された後には、特に手作業による剥離が容易なシークレットラベルが得られる。
【００２８】
この粘着抑制層は、第１の剥離始点用粘着抑制部と、第２の剥離始点用粘着抑制部とを含み、更に後述の剥離継続用粘着抑制部を有していてよい。これら第１の剥離始点用粘着抑制部及び第２の剥離始点用粘着抑制部は、封筒への封入封緘時にはシークレットラベルと剥離紙との粘着を維持し、かつ、シークレットラベルを手作業によってはがき等から剥離するときに、指先で摘まんで剥離の切っ掛け（始点）とし得る、小さな剥離部分を形成する機能を有する。
【００２９】
（第１の剥離始点用粘着抑制部）
第１の剥離始点用粘着抑制部は、ラベル基材の矩形の角を１つの頂点とする直角三角形状の粘着抑制部である。ここで、ラベル基材の角部が丸みを有しているときには、第１の剥離始点用粘着抑制部の直角三角形の直角の頂点も、丸みを有していてよい。
【００３０】
第１の剥離始点用粘着抑制部は、指先で摘まみ得る剥離の切っ掛け部分を形成するために、ある程度の大きさを有していることが望ましい。この観点から、第１の剥離始点用粘着抑制部の直角三角形の斜辺の長さは、１０．０ｍｍ以上、１２．０ｍｍ以上、１４．０ｍｍ以上、１６．０ｍｍ以上、１８．０ｍｍ以上、又は２０．０ｍｍ以上であってよい。しかし、第１の剥離始点用粘着抑制部が過度に大きいと、封筒への封入封緘時に剥離紙からの剥離が発生するおそれがある。これを避ける観点から、第１の剥離始点用粘着抑制部の直角三角形の斜辺の長さは、２８．５ｍｍ以下、２８．０ｍｍ以下、２６．０ｍｍ以下、２４．０ｍｍ以下、２２．０ｍｍ以下、又は２０．０ｍｍ以下であってよい。
【００３１】
第１の剥離始点用粘着抑制部が、直角三角形の直角を二等分する仮想直線に対して非対称の形状であると、右利きの作業者と左利きの作業者とで、剥離の切っ掛け部分の摘まみ易さに差が生じる場合がある。これを避けるため、第１の剥離始点用粘着抑制部の直角三角形は、略直角二等辺三角形であってよい。ここで「略直角二等辺三角形」とは、数学的に厳密な意味での直角二等辺三角形の他、各頂点に丸みが形成されているもの、斜辺以外の２つの辺の長さが少し、例えば１５％以下、１０％以下、又は５％以下の範囲で違うもの、等も含まれるとの趣旨である。
【００３２】
（第２の剥離始点用粘着抑制部）
第２の剥離始点用粘着抑制部は、上記第１の剥離始点用粘着抑制部の直角三角形の斜辺に略平行に、間隔を開けて配置されているストライプ状の粘着抑制部である。
【００３３】
第２の剥離始点用粘着抑制部のストライプは、ラベル基材の矩形の一角を形成する２つの辺の片方から他方へ、所定の幅を有する直線状に、連続的に又は断続的に形成されていてよい。
【００３４】
第２の剥離始点用粘着抑制部のストライプが、第１の剥離始点用粘着抑制部の直角三角形の斜辺に略平行であるとは、直角三角形の斜辺と、ストライプのうちの直角三角形の斜辺側の辺とのなす角度が、１０°以下又は５°以下であることをいう。
【００３５】
第２の剥離始点用粘着抑制部のストライプの本数は、１本以上である。このストライプの数は、剥離の切っ掛け部分の摘まみ易さを向上するために、２本以上又は３本以上であってよい。第２の剥離始点用粘着抑制部が複数本のストライプを有する場合、各ストライプは、互いに略平行であってよい。複数本のストライプが互いに略平行であるとは、隣接するストライプの対向する２辺のなす角度が、１０°以下又は５°以下であることをいう。
【００３６】
しかしながら、ストライプの本数が過度に多いと、封筒への封入封緘時に剥離紙からの剥離が発生するおそれがある。これを避ける観点から、第２の剥離始点用粘着抑制部のストライプの本数は、６本以下、４本以下、又は３本以下であってよい。第２の剥離始点用粘着抑制部のストライプの数は、１本又は２本であってよく、典型的には１本であってよい。
【００３７】
第２の剥離始点用粘着抑制部のストライプの幅は、はがきへの貼付後の剥離の切っ掛け部分を摘まみ易くする観点から、例えば、０．８ｍｍ以上、１．０ｍｍ以上、１．２ｍｍ以上、１．４ｍｍ以上、１．６ｍｍ以上、１．８ｍｍ以上、又は２．０ｍｍ以上であってよく、封緘封入時の剥離紙からの剥離を抑制する観点から、例えば、４．０ｍｍ以下、３．５ｍｍ以下、３．０ｍｍ以下、２．８ｍｍ以下、２．６ｍｍ以下、２．４ｍｍ以下、２．２ｍｍ以下、又は２．０ｍｍ以下であってよい。
【００３８】
第２の剥離始点用粘着抑制部が複数本のストライプを有する場合、各ストライプの幅は、同じであってもよいし、相違していてもよい。
【００３９】
第２の剥離始点用粘着抑制部のストライプは、第１の剥離始点用粘着抑制部の直角三角形の斜辺に略平行に、間隔を開けて配置されている。第１の剥離始点用粘着抑制部と第２の剥離始点用粘着抑制部との間隔が開いた部分では、粘着層が露出しており、その粘着性が維持されている。したがって、この間隔の幅を適宜に調整することにより、封入封緘時の剥離抑制と、剥離切っ掛け部分の摘まみ易さとのバランスをとることができる。
【００４０】
第１の剥離始点用粘着抑制部と第２の剥離始点用粘着抑制部との間隔の幅は、封入封緘時の剥離紙からの剥離を抑制する観点から、例えば、１．０ｍｍ以上、１．２ｍｍ以上、１．４ｍｍ以上、１．６ｍｍ以上、又は１．８ｍｍ以上であってよく、剥離切っ掛け部分の摘まみ易さの観点から、例えば、３．０ｍｍ以下、２．８ｍｍ以下、２．６ｍｍ以下、２．４ｍｍ以下、２．２ｍｍ以下、又は２．０ｍｍ以下であってよい。
【００４１】
第２の剥離始点用粘着抑制部が複数のストライプを有する場合、隣接するストライプ間の間隔の幅についても、第１の剥離始点用粘着抑制部と第２の剥離始点用粘着抑制部との間隔の幅と同様の考察によって適宜に設定されてよく、例えば、１．０ｍｍ以上、１．２ｍｍ以上、１．４ｍｍ以上、１．６ｍｍ以上、又は１．８ｍｍ以上であってよく、例えば、３．０ｍｍ以下、２．８ｍｍ以下、２．６ｍｍ以下、２．４ｍｍ以下、２．２ｍｍ以下、又は２．０ｍｍ以下であってよい。
【００４２】
第２の剥離始点用粘着抑制部が複数のストライプを有する場合、第１の剥離始点用粘着抑制部と第２の剥離始点用粘着抑制部との間隔の幅、及び隣接するストライプ間の間隔の幅は、同じであってもよいし、相違していてもよい。
【００４３】
（第１の剥離始点用粘着抑制部及び第２の剥離始点用粘着抑制部の組の数）
本発明のシークレットラベルの粘着抑制層は、ラベル基材の矩形の角を１つの頂点とする直角三角形状の第１の剥離始点用粘着抑制部と、この第１の剥離始点用粘着抑制部の直角三角形の斜辺に略平行に、間隔を開けて配置されているストライプ状の第２の剥離始点用粘着抑制部との組を含む。この第１の剥離始点用粘着抑制部及び第２の剥離始点用粘着抑制部の組は、矩形のラベル基材の角の１つに対して１組配置できる。したがって、本発明のシークレットラベルにおける第１の剥離始点用粘着抑制部及び第２の剥離始点用粘着抑制部の組の数は、１組以上４組以下である。
【００４４】
本発明が所期する効果を発現するためには、第１の剥離始点用粘着抑制部及び第２の剥離始点用粘着抑制部の組は、１組あれば足りる。しかし、本発明のシークレットラベルを貼付する方向、及び剥離作業者の右利き左利きにかかわらず、快適な剥離を実現するためには、第１の剥離始点用粘着抑制部及び第２の剥離始点用粘着抑制部の組の数は、２組、３組、又は４組であってよい。
【００４５】
本発明のシークレットラベルが第１の剥離始点用粘着抑制部及び第２の剥離始点用粘着抑制部を２組以上有する場合、各組の第１の剥離始点用粘着抑制部及び第２の剥離始点用粘着抑制部の態様は、同じであってもよいし、相違していてもよい。
【００４６】
（粘着抑制層の具体例）
図１Ａ及び図１Ｂに、本発明のシークレットラベルにおける粘着抑制層の構成例をそれぞれ示した。図１Ａ及び図１Ｂは、いずれも、シークレットラベルの角部の１つを示す拡大上面図である。
【００４７】
図１Ａのシークレットラベルでは、矩形のラベル基材（１１）と、ラベル基材（１１）上の粘着層（図示せず）と、粘着層上の粘着抑制層（２０）とを有する。ラベル基材（１１）は、角部の頂点が微小の丸みを有している。粘着抑制層（２０）は、第１の剥離始点用粘着抑制部（２１）と、第２の剥離始点用粘着抑制部（２２）とを有する。
【００４８】
第１の剥離始点用粘着抑制部（２１）は、ラベル基材（１１）の矩形の角を１つの頂点とする直角三角形状である。ここで、ラベル基材（１１）の角部が丸みを有しているため、第１の剥離始点用粘着抑制部（２１）の直角三角形の直角の頂点も、ラベル基材（１１）と同じ丸みを有している。この直角三角形では、斜辺の長さはｄ１で表され、２つの等辺の長さは、それぞれ、ｄ２及びｄ３で表される。
【００４９】
第２の剥離始点用粘着抑制部（２２）は、第１の剥離始点用粘着抑制部（２１）の直角三角形の斜辺に平行に、間隔ｉ１を開けて幅ｗ１を有するストライプ状に配置されている。この第２の剥離始点用粘着抑制部（２２）は、ラベル基材（１１）の矩形の一角を形成する２つの辺の片方から他方へ、幅ｗ１を有する直線状で連続的に存在している。
【００５０】
図１Ａの粘着抑制層（２０）は、第１の剥離始点用粘着抑制部（２１）及び第２の剥離始点用粘着抑制部（２２）の組を、１組以上４組以下の範囲で有していてよく、これら以外に、後述の剥離継続用粘着抑制部を更に有していてよい。
【００５１】
図１Ｂのシークレットラベルでは、矩形のラベル基材（１２）と、ラベル基材（１２）上の粘着層（図示せず）と、粘着層上の粘着抑制層（３０）とを有する。ラベル基材（１２）は、角部の頂点が微小の丸みを有している。粘着抑制層（３０）は、第１の剥離始点用粘着抑制部（３１）と、第２の剥離始点用粘着抑制部（３５）とを有する。
【００５２】
図１Ｂにおける第１の剥離始点用粘着抑制部（３１）は、図１Ａの第１の剥離始点用粘着抑制部（２１）と同様の直角三角形状である。この直角三角形の斜辺の長さはｄ３で表され、２つの等辺の長さは、それぞれ、ｄ４及びｄ５で表される。
【００５３】
第２の剥離始点用粘着抑制部（３５）は、第１の剥離始点用粘着抑制部（３１）の直角三角形の斜辺に平行に、間隔ｉ２を開けて配置された幅ｗ２を有する第１のストライプ（３２）と、第１のストライプ（３２）に平行に、間隔ｉ３を開けて配置された幅ｗ３を有する第２のストライプ（３３）とを含む。この第２の剥離始点用粘着抑制部（３５）に含まれる第１のストライプ（３２）及び第２のストライプ（３３）は、いずれも、ラベル基材（１２）の矩形の一角を形成する２つの辺の片方から他方へ、直線状で連続的に存在している。
【００５４】
図１Ｂの粘着抑制層（３０）は、第１の剥離始点用粘着抑制部（３１）及び第２の剥離始点用粘着抑制部（３５）の組を、１組以上４組以下の範囲で有していてよく、これら以外に、後述の剥離継続用粘着抑制部を更に有していてよい。
【００５５】
（剥離継続用粘着抑制部）
本発明のシークレットラベルにおける粘着抑制層は、上記第１の剥離始点用粘着抑制部及び第２の剥離始点用粘着抑制部の他に、剥離継続用粘着抑制部を更に含んでいてよい。
【００５６】
剥離継続用粘着抑制部は、第１の剥離始点用粘着抑制部及び第２の剥離始点用粘着抑制部によって形成された剥離の切っ掛け部を指先で摘まんで剥離するときに、剥離が容易かつ快適に行えるように、粘着層の粘着力を制限する機能を有する。
【００５７】
したがって、この剥離継続用粘着抑制部は、第１の剥離始点用粘着抑制部及び第２の剥離始点用粘着抑制部、並びにこれらの間の間隙部と重複しない位置に存在していてよい。
【００５８】
剥離継続用粘着抑制部は、粘着層の粘着力を適切に制限するために、パターン状であってよい。剥離継続用粘着抑制部のパターンは、例えば、ドット状、ストライプ状、格子状、市松模様状等、及びこれらの組み合わせ等であってよい。ドットは、円形ドット、楕円形ドット、円環ドット、楕円環ドット、シャワードット状の他、多角形（例えば、三角形、四角形、ハウンドトゥース型等）、アニマル柄等のドットも含まれる。ドットが連結して、ストライプ、格子、環等の図形を形成していてもよい。
【００５９】
剥離継続用粘着抑制部のパターンの占有面積率、及び剥離継続用粘着抑制部の配置範囲は、それぞれ、剥離し易さについての所望の程度により、適宜に設定されてよい。
【００６０】
〈粘着抑制層の構成材料〉
第１の剥離始点用粘着抑制部及び第２の剥離始点用粘着抑制部、並びに存在する場合には剥離継続用粘着抑制部は、剥離剤を配合したインキ、オーバープリントニス等から構成されていてよい。インキに配合される剥離剤としては、公知の材料を適宜選択して使用してよく、例えば、シリコーン化合物、シリカ、アルキルペンダントポリマー等であってよい。
【００６１】
粘着抑制層が着色剤を含有すると、意匠上の効果が得られる他、はがき等に記入された情報がシークレットラベルを透かして視認可能になることを抑制することができ、好ましい。したがって、粘着抑制層を形成するためのインキ、オーバープリントニス等には、剥離剤の他、着色剤が配合されてよい。
【００６２】
《シークレットラベル積層体》
本発明の別の観点では、剥離紙上に、本発明のシークレットラベルが貼付されている、シークレットラベル積層体が提供される。
【００６３】
剥離紙は、剥離紙基材と剥離層とを有していてよい。剥離紙基材は、適宜の紙であってよい。剥離層は、例えばシリコーン樹脂等から構成されていてよい。
【００６４】
本発明のシークレットラベル積層体は、このような剥離紙の剥離層側の面と、本発明のシークレットラベルの粘着抑制層側の面とが対向するように貼付されて構成されていてよい。
【実施例】
【００６５】
《実施例１》
（１）シークレットラベルの作製
４つの角部がそれぞれ微小の丸み（Ｒ）を有する、９６．０ｍｍ×１３５．０ｍｍの矩形の紙製ラベル基材の片面上に、粘着層、及びシリコーン系剥離剤を含む粘着抑制層をこの順に形成して、シークレットラベルを作製した。この粘着層は、ラベル基材の片面全面上に一様に形成され、粘着抑制層は、以下の仕様の第１の剥離始点用粘着抑制部、第２の剥離始点用粘着抑制部、及びパターン状の剥離継続用粘着抑制部から構成されるものとした。
【００６６】
第１の剥離始点用粘着抑制部：ラベル基材の矩形の角を１つの頂点とする、斜辺の長さ２１．２ｍｍ、等辺の長さ１５．０ｍｍの略直角二等辺三角形
第２の剥離始点用粘着抑制部：第１の剥離始点用粘着抑制部の斜辺から１．８ｍｍの間隔を開けて平行に配置された、幅２．１ｍｍのストライプ
第１及び第２の剥離始点用粘着抑制部の数：略直角二等辺三角形及びストライプから構成される組が、ラベル基材の４個の角に１組ずつ、計４組
剥離継続用粘着抑制部：数珠状に連結された菱形ドットの直線が、複数平行に配置されたパターン、ここで、菱形ドットの直線は、矩形のラベル基材の一辺と角度をなすように配置されている。
【００６７】
実施例１で形成した粘着抑制層のパターンを図２（ａ）に示した。また、第１の剥離始点用粘着抑制部、及び第２の剥離始点用粘着抑制部の組の拡大図を図２（ｂ）に示した。
【００６８】
（２）評価
（２−１）「浮き性」の評価
得られたシークレットラベルをはがきに貼付した。はがきの角部を軽く曲げたとき、及び大きく曲げたとき、それぞれの場合に、シークレットラベルの角がはがきから浮く程度を調べた。結果を表１に示す。
【００６９】
はがきの角部を軽く曲げるとは、はがきの平面に対するはがき角部（頂点）の変位量が約１０ｍｍとなるように、シークレットラベル側を湾曲の外側として、はがきの角部を曲げることをいう。はがきの角部を大きく曲げるとは、はがきの平面に対するはがき角部（頂点）の変位量を約２０ｍｍとする他は、前記と同じように曲げることをいう。
【００７０】
シークレットラベルの角がはがきから浮く程度の評価は、以下の基準によった。
大：シークレットラベルが、指先でつまんで剥離することが容易な程度に大きく浮いた場合
小：シークレットラベルがまったく浮かなかった場合、又はシークレットラベルの浮きが、指先でつまんで剥離することが容易ではない程度に小さかった場合
【００７１】
（２−２）剥離性の評価（官能試験）
試験サンプルとして、シークレットラベルを貼付したはがきサンプル１００枚を準備した。これらのサンプル上のシークレットラベルを、１枚／１秒の作業ペースで人の手によって剥離させ、剥離し易いか否かを調べ、以下の基準で評価した。結果を表１に示す。
Ａ：１００枚全部が剥離し易かった場合
Ｃ：１００枚のうちに剥離し難いサンプルがあった場合
【００７２】
（２−３）封入封緘試験
試験サンプルとして、シークレットラベルを貼付した剥離紙サンプル２，０００枚を準備した。これらのサンプルを用いて、市販の封入封緘機により封筒中に封入及び封緘する試験を行い、封入中にシークレットラベルが剥離してしまった枚数を調べ、以下の基準で評価した。結果を表１に示す。
Ａ：２，０００枚全部が、剥離せずに無事に封入封緘できた場合
Ｂ：２，０００枚のうち、剥離が発生したサンプルの枚数が１枚又は２枚であった場合
Ｃ：２，０００枚のうち、剥離が発生したサンプルの枚数が３枚以上であった場合
【００７３】
《実施例２》
第２の剥離始点用粘着抑制部を、第１の剥離始点用粘着抑制部の斜辺から１．８ｍｍの間隔を開けて平行に配置された幅２．１ｍｍの第１のストライプと、この第１のストライプから更に１．８ｍｍの間隔を開けて平行に配置された同幅の第２のストライプとの２本構成とした他は、実施例１と同様にして、シークレットラベルを作製し、各種の評価を行った。評価結果は表１に示す。
【００７４】
実施例２で形成した粘着抑制層のパターンを図３（ａ）に示した。また、第１の剥離始点用粘着抑制部、及び第２の剥離始点用粘着抑制部の組の拡大図を図３（ｂ）に示した。
【００７５】
《比較例１》
第２の剥離始点用粘着抑制部を形成しなかった他は、実施例１と同様にして、シークレットラベルを作製し、各種の評価を行った。評価結果は表１に示す。
【００７６】
比較例１で形成した粘着抑制層のパターンを図４（ａ）に示した。また、第１の剥離始点用粘着抑制部の拡大図を図４（ｂ）に示した。
【００７７】
《比較例２》
第１の剥離始点用粘着抑制部を、ラベル基材の矩形の角を１つの頂点とする、斜辺の長さ２９．０ｍｍ、等辺の長さ２０．５ｍｍの略直角二等辺三角形とした他は、比較例１と同様にして、シークレットラベルを作製し、各種の評価を行った。評価結果は表１に示す。
【００７８】
なお、比較例２では、剥離紙に貼付けた後のシークレットラベルの角部の浮きが大きく、封入封緘機の紙詰まりが懸念されたため、封入封緘試験は行わなかった。
【００７９】
比較例２で形成した粘着抑制層のパターンを図５（ａ）に示した。また、第１の剥離始点用粘着抑制部の拡大図を図５（ｂ）に示した。
【００８０】
【表１】
2019191284.tif 000003
【００８１】
第１の剥離始点用粘着抑制部を有するが、第２の剥離始点用粘着抑制部を有さない比較例１のシークレットシートは、浮き性の評価において、角部を軽く曲げたとき、及び大きく曲げたときの双方で、浮きの程度が小さかった。このような比較例１のシークレットシートは、封入封緘試験の結果は良好であったが、剥離性試験の結果は劣っていた。
【００８２】
この比較例１のシークレットシートに比べて、第１の剥離始点形成用粘着抑制部の大きさを大きくした比較例２のシークレットシートは、浮き性の評価において、角部を軽く曲げたとき、及び大きく曲げたときの双方で、浮きの程度が大きかった。そのため、剥離性試験の結果は良好であったが、封入封緘機の紙詰まりが懸念されたため、封入封緘試験の実施は断念した。
【００８３】
これらの比較例に対して、第１の剥離始点用粘着抑制部とともに、第２の剥離始点用粘着抑制部を有する実施例１及び実施例２のシークレットシートは、浮き性の評価において、角部を軽く曲げたときの浮きは小さく、大きく曲げたときの浮きは大きかった。このような実施例１及び実施例２のシークレットシートは、剥離性試験及び封入封緘試験の双方で、バランスの取れた優れた結果を示した。
【符号の説明】
【００８４】
１１、１２    ラベル基材
２０    粘着抑制層
２１    第１の剥離始点用粘着抑制部
２２    第２の剥離始点用粘着抑制部
３０    粘着抑制層
３１    第１の剥離始点用粘着抑制部
３２    第２の剥離始点用粘着抑制部（第１のストライプ）
３３    第２の剥離始点用粘着抑制部（第２のストライプ）
３５    第２の剥離始点用粘着抑制部
【図１Ａ】
2019191284.tif 000004
【図１Ｂ】
2019191284.tif 000005
【図２】
2019191284.tif 000006
【図３】
2019191284.tif 000007
【図４】
2019191284.tif 000008
【図５】
2019191284.tif 000009